(57)【要約】【課題】定規アングルを固定するための鋼板の上面中央に立設されるアンカー部材の形状を工夫することによって、スターラップとの干渉を回避すると共に、アンカー部材の方向性による埋め込みプレートの耐力のバラツキを無くすことにより、施工性を向上させ、品質の安定した非構造壁を構築できるようにしたＡＬＣパネル取付け用埋め込みプレートを提供する。【解決手段】正方形の鋼板１の上面中央に、円柱状軸部２ａとその先端に同芯状に付設された円板状頭部２ｂとから成る鋼製アンカー部材２を立設してＡＬＣパネル取付け用埋め込みプレートＰを構成する。【選択図】図１
2014211063.tif 000002
【特許請求の範囲】
【請求項１】
正方形の鋼板の上面中央に、円柱状軸部とその先端に同芯状に付設された円板状頭部と
から成る鋼製アンカー部材を立設して構成したことを特徴とするＡＬＣパネル取付け用埋
め込みプレート。
【請求項２】
鋼製アンカー部材の長さを５０ｍｍ程度とし、円板状頭部の直径を３０ｍｍ程度とした
ことを特徴とする請求項１に記載のＡＬＣパネル取付け用埋め込みプレート。
【発明の詳細な説明】
【技術分野】
【０００１】
本発明は、ＲＣ梁（鉄筋コンクリート梁）の下面に埋め込まれるＡＬＣパネル取付け用
埋め込みプレートに関する。
【背景技術】
【０００２】
例えば、高層集合住宅におけるバルコニーや共用廊下と居室間を隔てる外壁などの非構
造壁を、ＡＬＣパネルによって構築する場合、予めＲＣ梁（鉄筋コンクリート梁）の下面
に、必要個数のＡＬＣパネル取付け用埋め込みプレートを所定間隔おきに埋設しておき、
これらの埋め込みプレートにＡＬＣパネル固定用定規アングルを溶接等の手段により固定
し、この定規アングルにＡＬＣパネルを留め金具で固定するといった工法が採用される。
【０００３】
ところが、従来のＡＬＣパネル取付け用埋め込みプレートＰは、図６に示すように、定
規アングル５を固定するための正方形の鋼板１０と、その上面中央に立設された先端をＬ
字状に曲げ加工したアンカー鉄筋２０とで構成されていたため、次のような問題点があっ
た。
【０００４】
即ち、先端をＬ字状に曲げ加工したアンカー鉄筋２０の特性として、アンカー鉄筋２０
の方向（曲げ加工された先端部の向き）により埋め込みプレートＰの耐力が異なり、アン
カー鉄筋２０に対するコンクリートの被り厚も変化するから、ＲＣ梁構築用の底型枠に埋
め込みプレートＰをセットする際、曲げ加工された先端部が梁幅方向と平行で且つ内側に
向くように、アンカー鉄筋２０の方向に配慮しながら施工する必要があり、施工やその管
理が面倒であった。
【０００５】
また、たとえ梁の底型枠に埋め込みプレートＰが正しい向きにセットされても、梁配筋
の際、アンカー鉄筋２０が梁主筋７に巻回したスターラップ８と干渉することがあり、ス
ターラップ８とアンカー鉄筋２０の位置をずらす面倒な手直し作業が必要になることがあ
った。
【０００６】
尚、特許文献１の図５、図６には、ＲＣ梁（鉄筋コンクリート床端部の梁型部分）の下
面と側面の角部に埋設した埋め込みアングルピースが開示されているが、埋め込みアング
ルピースのアンカー部材に関しては図示省略されており、スターラップと干渉するか否か
は不明である。
【先行技術文献】
【特許文献】
【０００７】
【特許文献１】特開２００３−２２１８６８号公報
【発明の概要】
【発明が解決しようとする課題】
【０００８】
本発明は、上述した問題点を踏まえてなされたものであって、その目的とするところは
、定規アングルを固定するための鋼板の上面中央に立設されるアンカー部材の形状を工夫
することによって、スターラップとの干渉を回避すると共に、アンカー部材の方向性によ
る埋め込みプレートの耐力のバラツキを無くすことにより、施工性を向上させ、品質の安
定した非構造壁を構築できるようにしたＡＬＣパネル取付け用埋め込みプレートを提供す
ることにある。
【課題を解決するための手段】
【０００９】
上記の目的を達成するために、本発明が講じた技術的手段は、次の通りである。即ち、
請求項１に記載の発明によるＡＬＣパネル取付け用埋め込みプレートは、正方形の鋼板の
上面中央に、円柱状軸部とその先端に同芯状に付設された円板状頭部とから成る鋼製アン
カー部材を立設して構成したことを特徴としている。
【００１０】
尚、埋め込みプレートの寸法は適宜設定できるが、請求項２に記載の発明のように、鋼
製アンカー部材の長さを５０ｍｍ程度とし、円板状頭部の直径を３０ｍｍ程度とすること
が、後述する理由により、望ましい。
【発明の効果】
【００１１】
請求項１に記載の発明によれば、正方形の鋼板の上面中央に立設された鋼製アンカー部
材が、円柱状軸部とその先端に同芯状に付設された円板状頭部とから成る方向性の無い形
状であるため、従来のアンカー鉄筋のような方向性による埋め込みプレートの耐力のバラ
ツキが無くなり、鋼製アンカー部材の方向性に注意しつつ施工する必要がないため、施工
性が向上し、容易に品質の安定した非構造壁を構築できるのである。
【００１２】
請求項２に記載の発明によれば、定着長さ（鋼製アンカー部材の長さ）を５０ｍｍ程度
、円板状頭部の直径を３０ｍｍ程度とすることにより、ＡＬＣパネル取付け用埋め込みプ
レートとしての必要な耐力を確保しながらも、鋼製アンカー部材とスターラップとの干渉
を回避することができ、スターラップと鋼製アンカー部材の位置をずらす面倒な手直し作
業が不要となるので、この点からも施工性を向上し得るのである。
【図面の簡単な説明】
【００１３】
【図１】本発明に係るＡＬＣパネル取付け用埋め込みプレートの斜視図である。
【図２】上記埋め込みプレートの側面図である。
【図３】上記埋め込みプレートの使用状態を示す概略正面図である。
【図４】図３のＡ−Ａ線断面図である。
【図５】要部の拡大図である。
【図６】従来例を示す要部の拡大図である。
【発明を実施するための形態】
【００１４】
以下、本発明の実施形態を図面に基づいて説明する。図１と図２は、本発明に係るＡＬ
Ｃパネル取付け用埋め込みプレートＰを示し、図３〜図４は、上記の埋め込みプレートＰ
を使用した非構造壁Ｗの一例を示す。上記の埋め込みプレートＰは、正方形の鋼板１の上
面中央に垂直に立設した鋼製アンカー部材２とで構成され、鋼製アンカー部材２は、円柱
状軸部２ａと、その先端に同芯状に付設された円板状頭部２ｂとから構成されている。
【００１５】
埋め込みプレートＰの寸法は適宜設定できるが、図示の例では、正方形をなす鋼板１の
一辺Ｌ１が７５ｍｍ、鋼製アンカー部材２の長さＨが５３ｍｍ、円柱状軸部２ａの直径が
１３ｍｍ、円板状頭部２ｂの直径Ｌ２が３０ｍｍに設定されている。鋼板１の厚さは５ｍ
ｍ（３．２ｍｍ以上）、円板状頭部２ｂの厚さは３ｍｍに設定されている。
【００１６】
高層集合住宅におけるバルコニーや共用廊下と居室間を隔てる外壁などの非構造壁Ｗを
、ＡＬＣパネル３によって構築するに当たっては、図３〜図４に示すように、予めＲＣ梁
（鉄筋コンクリート梁）４の下面に、必要個数のＡＬＣパネル取付け用埋め込みプレート
Ｐを所定間隔おきに埋設しておき、これらの埋め込みプレートＰにＡＬＣパネル固定用定
規アングル５を溶接等の手段により固定し、この定規アングル５にＡＬＣパネル３をイナ
ズマ型プレート等の留め金具６で固定することになる。７は梁主筋、８はスターラップで
ある。
【００１７】
上記の構成によれば、正方形の鋼板１の上面中央に立設された鋼製アンカー部材２が、
円柱状軸部２ａとその先端に同芯状に付設された円板状頭部２ｂとから成る方向性の無い
形状であるため、従来のアンカー鉄筋２０のような方向性による埋め込みプレートＰの耐
力のバラツキが無くなり、鋼製アンカー部材２の方向性に注意しつつ施工する必要がない
ため、施工性が向上し、容易に品質の安定した非構造壁を構築できるのである。
【００１８】
また、定着長さ（鋼製アンカー部材２の長さ）を５０ｍｍ程度、円板状頭部２ｂの直径
を３０ｍｍ程度とすることにより、ＡＬＣパネル取付け用埋め込みプレートＰとしての必
要な耐力を確保しながらも、鋼製アンカー部材２とスターラップ８との干渉を回避するこ
とができ、スターラップ８と鋼製アンカー部材２の位置をずらす面倒な手直し作業が不要
となる。
【符号の説明】
【００１９】
Ｐ  ＡＬＣパネル取付け用埋め込みプレート
Ｗ  非構造壁
１  正方形の鋼板
２  鋼製アンカー部材
２ａ  円柱状軸部
２ｂ  円板状頭部
３  ＡＬＣパネル
４  ＲＣ梁
５  ＡＬＣパネル固定用定規アングル
６  留め金具
７  梁主筋
８  スターラップ
１０  鋼板
２０  アンカー鉄筋
【図１】
2014211063.tif 000003
【図２】
2014211063.tif 000004
【図３】
2014211063.tif 000005
【図４】
2014211063.tif 000006
【図５】
2014211063.tif 000007
【図６】
2014211063.tif 000008